(57)【要約】【課題】本発明は、着用に際して突っ張り感がなく皮膚の伸縮動作のストレスが小さい衣料用生地及び圧迫衣料の提供を目的とする。【解決手段】本発明の衣料用生地１０を備えた圧迫衣料としてのサポーター１のその衣料用生地１０は、編地からなる弾性を有する生地本体２と、前記生地本体２の全体に配設され前記生地本体２における互いに直交するＸ方向及びＹ方向とそれらの２方向の夫々に対して略４５°をなすＷ方向との夫々の前記伸張力が同じになるように前記生地本体２の伸張力を調整するための伸張力調整部材３とを備えている。【選択図】図１
2012097361.tif 000002
【特許請求の範囲】
【請求項１】
弾性を有する生地本体と、前記生地本体の一部又は全体に配設され前記生地本体における互いに直交するＸ方向及びＹ方向とそれらの２方向の夫々に対して略４５°をなすＷ方向との夫々の前記伸張力が略同じになるように前記生地本体の伸張力を調整するための伸張力調整部材とを備えていることを特徴とする衣料用生地。
【請求項２】
前記伸張力調整部材は、合成樹脂製の複数の小片状の調整部材片から構成され、
前記複数の調整部材片は、前記Ｘ方向に沿って列をなして並ぶように配設されているとともに、前記Ｙ方向に沿って列をなして並ぶように配設されていることを特徴とする衣料用生地。
【請求項３】
請求項１又は２記載の衣料用生地を有することを特徴とする圧迫衣料。
【発明の詳細な説明】
【技術分野】
【０００１】
本発明は、衣料用生地及び衣料用生地を有する圧迫衣料に関するものである。
【背景技術】
【０００２】
従来から、弾性を有し身体に装着することにより身体の一部を圧迫できるようにした圧迫衣料は、広く知られている。圧迫衣料として、例えば特許文献１に、被覆装具が開示されている。この被覆装具は、伸縮性素材と非伸縮性素材又は伸縮性素材からなる本体と、本体を構成する伸縮性素材の所定箇所の伸縮性を処理剤の含浸処理により変えた部分とを有するものである。このようにして、含浸処理を施さない本体の部分は伸縮特性を持ち、含浸処理を施した部分は異なる伸縮特性を有するものとし、部分的に伸張力に変化をつけることで、人体装着部位に対する固定力、圧迫力等を適宜変化させ得るものとされている。
【０００３】
又、例えば特許文献２には、装着者の膝部に装着可能で、複数の領域を有する生地部分と、前記生地部分の表面一部であって、前記複数の領域内に密着形成された樹脂パターンとを備え、樹脂パターンは、前記生地部分の表面における前記複数の領域に要求される機能に応じて特性を調整している膝用サポーターが開示されている。このように構成することにより、領域ごとに要求される身体の締め付け力を調整できるものとされている。
【先行技術文献】
【特許文献】
【０００４】
【特許文献１】特開平０３−７０５５８号公報
【特許文献２】特開２０１０−１１１９５６号公報
【発明の概要】
【発明が解決しようとする課題】
【０００５】
しかしながら、上記特許文献１における含浸処理を施した部分、或いは、特許文献２における樹脂パターンを有する領域は、例えば互いに直交する２方向と、それらの２方向の夫々と略４５°をなす斜め方向との夫々の伸張力に大きな差が生じる場合が多い。このように、伸張力が３方向それぞれに大きな差が生じると、着用に際して突っ張り感が出て皮膚の伸縮動作のストレスが大きくなるおそれが生じる。
【０００６】
本発明は、着用に際して突っ張り感がなく皮膚の伸縮動作のストレスが小さい衣料用生地及び圧迫衣料の提供を目的とする。
【課題を解決するための手段】
【０００７】
本発明は、弾性を有する生地本体と、前記生地本体の一部又は全体に配設され前記生地本体における互いに直交するＸ方向及びＹ方向とそれらの２方向の夫々に対して略４５°をなすＷ方向との夫々の前記伸張力が略同じになるように前記生地本体の伸張力を調整するための伸張力調整部材とを備えていることを特徴とする衣料用生地を提供することにより上記課題を解決する。
【０００８】
この構成によれば、Ｘ方向、Ｙ方向及びＷ方向の夫々の伸張力が略同じになるように構成されているため、身体に着用した場合に、その着用した部分の筋肉を、Ｘ方向、Ｙ方向及びＷ方向にほぼ均等に引張ることができ、着用に際してつっぱり感等の違和感を軽減することができる。これにより、皮膚の伸縮動作のストレスを小さいものにして筋肉をサポートできる。
【０００９】
又、この衣料用生地を用いて圧迫衣料を形成すれば、衣料用生地の伸張力の強弱の方向性が無いため、伸張力の強弱の方向性を考慮することなく圧迫衣料を形成でき、圧迫衣料の生産性の向上を図ることができる。
【００１０】
他の一態様では、上記衣料用生地において、前記伸張力調整部材は、合成樹脂製の複数の小片状の調整部材片から構成され、前記調整部材片は、前記Ｘ方向に沿って列をなして並ぶように配設されているとともに、前記Ｙ方向に沿って列をなして並ぶように配設されていることを特徴とする。
【００１１】
この構成によれば、Ｘ方向、Ｙ方向及びＷ方向の夫々の伸張力が略同じで伸張力の強弱の方向性が殆ど無い衣料用生地を、容易に形成できる。
【００１２】
又、本発明は、上記衣料用生地を有することを特徴とする圧迫衣料を提供することにより上記課題を解決する。
【００１３】
この構成によれば、伸張力の強弱の方向性が殆ど無い衣料用生地を用いることにより、伸張力の強弱の方向性を考慮することなく縫製等を行うことができ、生産性の向上を図ることができる。
【発明の効果】
【００１４】
本発明によれば、着用に際して突っ張り感がなく皮膚の伸縮動作のストレスが小さい衣料用生地及び圧迫衣料を提供し得たものである。
【図面の簡単な説明】
【００１５】
【図１】本発明の衣料用生地を有する圧迫衣料としてのサポーターを裏返した状態の側面図である。
【図２】図１のサポーターの要部拡大断面図である。
【図３】図１のサポーターの要部拡大側面図である。
【図４】Ｘ方向、Ｙ方向及びＷ方向の伸張力の測定データを表した図表である。
【図５】伸張力調整部材の他の実施形態に係り、（ａ）は、調整部材片を×形状に形成して配列した説明図、（ｂ）は、調整部材片を正六角形状に形成して配列した説明図、（ｃ）は、調整部材片を＋形状に形成して配列した説明図、（ｄ）は、調整部材片を正三角形状に形成して配列した説明図、（ｅ）は、調整部材片を菱形状に形成して配列した説明図である。
【発明を実施するための形態】
【００１６】
以下、本発明を実施するための最良の形態について、図面を参照しながら詳細に説明する。図１は、本発明の衣料用生地を有する圧迫衣料としてのサポーターを裏返した状態の側面図、図２は、図１のサポーターの要部拡大断面図、図３は、図１のサポーターの要部拡大側面図である。
【００１７】
この実施形態の衣料用生地を有する圧迫衣料は、サポーター１から構成されている。このサポーター１を構成する衣料用生地１０は、編地からなる生地本体２と、生地本体の全体に配設された伸張力調整部材３とを備えている。
【００１８】
生地本体２は、この実施形態では、弾性糸をトリコット編（たて編）によって編み編成されている。このように構成された生地本体２は、弾性を有するとともに、編み編成されているため、図１のＸ方向の伸張力と図１のＹ方向の伸張力が異なる。この実施形態では、Ｘ方向の伸張力とＹ方向の伸張力とは、１：１．５０〜１．６０とされている。
【００１９】
伸張力調整部材３は、生地本体２における互いに直交する上記Ｘ方向及び上記Ｙ方向とそれらの２方向の夫々に対して略４５°をなすＷ方向との夫々の伸張力が略同じになるように伸張力を調整するもので、複数の調整部材片３１から構成されている。
【００２０】
この実施形態の調整部材片３１は、夫々、熱可塑性樹脂、架橋反応樹脂等の合成樹脂から構成されている。熱可塑性樹脂としては、例えばポリエチレン樹脂、ポリプロピレン樹脂、ポリスチレン樹脂、アクリロニトリル／ブタジエン／スチレン樹脂（ＡＢＳ樹脂）、ポリカーボネート樹脂、ポリエチレンテレフタレート樹脂、ポリアミド樹脂、（メタ）アクリル樹脂、ポリエステル樹脂（ポリエチレンテレフタレートを含む）等を挙げることができる。ただし、これらは例示であり、これに限定されず、他の熱可塑性樹脂を使用できる。
【００２１】
又、架橋反応樹脂としては、フェノール樹脂、尿素樹脂、メラミン樹脂、不飽和ポリエステル樹脂、ポリウレタン樹脂、エポキシ樹脂、シリコーン樹脂等を挙げることができる。ただし、これらも例示であり、これに限定されず、他の架橋反応樹脂を使用できる。
【００２２】
好ましくは、弾性を有するポリウレタン樹脂（エーテル系若しくはカーボネート結合を有するもの）を用いる。
【００２３】
又、調整部材片３１の夫々は、この実施形態では、直径２ｍｍの大きさの円形状のものから構成されている。そして、調整部材片３１は、サポーター１の内面側（裏面側）となる生地本体２の一面２ａに、Ｘ方向、Ｙ方向及びＷ方向夫々の伸張力が略同じになるように配設されている。尚、調整部材片３１の大きさは、直径２ｍｍのものに限らず、適宜変更できる。
【００２４】
この実施形態では、調整部材片３１は、Ｘ方向に沿って互いに所定の距離を持って列をなして並ぶように配設されているとともに、Ｘ方向と直交するＹ方向に沿って互いに所定の距離を持って列をなして並んでおり、生地本体２に対して４５〜５５％の面積比になるように配設されている。
【００２５】
より詳しくは、図３に示すようにＸ方向に並ぶ調整部材片３１の列（以下、Ｘ方向列）を少なくとも１つ含む幅Ｌ１（Ｙ方向の長さ）でＸ方向に引っ張った際のＸ方向伸張力と、Ｙ方向に並ぶ調整部材片３１の列（Ｙ方向列）を少なくとも１つ含み上記幅Ｌ１と同じ幅Ｌ２（Ｘ方向の長さ）でＹ方向に引っ張った際のＹ方向伸張力と、上記幅Ｌ１と同じ幅Ｌ３（Ｘ方向と４５°をなす方向の長さ）でＷ方向に引っ張った際のＷ方向伸張力とが、略同じようになるように配設されている。
【００２６】
ここで、略同じとは、Ｘ方向伸張力とＹ方向伸張力とＷ方向伸張力との何れか１つを基準にして、その基準伸張力Ｐａに対して他の伸張力Ｐｂが０．７０Ｐａ≦Ｐｂ≦１．３０Ｐａになる場合をいう。好ましくは、０．８０Ｐａ≦Ｐｂ≦１．２０Ｐａになる場合である。
【００２７】
また、調整部材片３１の生地本体２に対する配設量は、上記範囲のものに限らず、例えば生地本体２に対して２０〜７０％の面積比になるように配設するのが好ましい。２０％よりも少なくなると、Ｘ方向、Ｙ方向及びＷ方向夫々の伸張力を略同じにし難くなり、一方、７０％を超えると生地本体２の伸張率が小さくなるととともに、通気性も悪くなるおそれがあるからである。
【００２８】
次に、この実施形態の圧迫衣料の製造方法について説明する。まず、生地本体２をトリコット編みで編成する。そして、必要に応じて染色した後、図２に示すようにその生地本体２の一面２ａに、複数の調整部材片３１を上記所定位置に配設するようにプリントする。これにより、調整部材片３１夫々の一部が生地本体２に含侵した衣料用生地１０を得ることができる。
【００２９】
その後、衣料用生地１０を所定の大きさに裁断し、生地本体２の一面２ａを内面側になるようにして筒状に縫製する。これにより、図１に示すように、上端及び下端に開口を備え、その周方向に沿って調整部材片３１が列をなして並ぶように配設されているとともに、その軸方向（Ｙ方向）に沿って調整部材片３１が列をなして並ぶように配設された筒状のサポーター１を製造できる。
【００３０】
次に、このようにして製造したサポーター１を構成した衣料用生地１０のＸ方向、Ｙ方向及びＷ方向の引張試験を行なったので、以下に説明する。
【００３１】
この引張試験は、Ｘ方向に引張試験を行なう試験片１、Ｙ方向に引張試験を行なう試験片２、及びＷ方向に引張試験を行なう試験片３を製作して行なった。試験片１は、上記衣料用生地１０から、上記幅Ｌ１が２５ｍｍ（Ｘ方向列を７〜８を含む程度）、長さ（掴み間隔）が１００ｍｍで引張試験を行なえる程度の大きさに裁断して製作した。
【００３２】
試験片２は、上記衣料用生地１０から、上記幅Ｌ２が２５ｍｍ（Ｙ方向列を７〜８を含む程度）、長さ（掴み間隔）が１００ｍｍで引張試験を行なえる程度の大きさに裁断して製作した。又、試験片３は、上記衣料用生地１０から、上記幅Ｌ３が２５ｍｍ、長さ（掴み間隔）が１００ｍｍで引張試験を行なえる程度の大きさに裁断して製作した。
【００３３】
又、引張スピード３００ｍｍ／ｍｉｎの条件で行い、５０％伸張力を測定することにより行なった。その結果は、図４に示すようにＸ方向、Ｙ方向及びＷ方向の５０％伸張力は、ほぼ同じであった。
【００３４】
このようにＸ方向、Ｙ方向及びＷ方向の伸張力を、ほぼ同じにすることにより、身体に着用した場合に、その着用した身体の筋肉を、Ｘ方向、Ｙ方向及びＷ方向に均等に引張ることができ、着用に際してつっぱり感等の違和感を軽減することができる。これにより、皮膚の伸縮動作のストレスが小さいものにして筋肉をサポートできる。
【００３５】
又、この衣料用生地を用いてサポーターを形成すれば、衣料用生地の伸張力の強弱の方向性が無いため、伸張力の強弱の方向性を考慮することなく形成でき、圧迫衣料の生産性の向上を図ることができる。
【００３６】
尚、上記実施形態では、伸張力調整部材３は生地本体２の全体に配設されているが、この形態のものに限らず、例えば、伸張力調整部材３は生地本体２の一部に配設される形態でもよく、適宜変更できる。
【００３７】
又、上記実施形態では、Ｘ方向を周方向に沿う方向とし、Ｙ方向を軸方向に沿う方向とし、伸張力調整部材３を、それらのＸ方向及びＹ方向に沿って列をなすように並べたが、この形態のものに限らず、適宜変更できる。例えばＸ方向を周方向（軸方向）と４５°をなす方向とし、Ｙ方向をそのＸ方向と９０°をなす方向とし、伸張力調整部材３を、それらのＸ方向及びＹ方向に沿って列をなすように並べるようにしても良い。
【００３８】
又、上記実施形態では、伸張力調整部材３を、生地本体２の全体に、周方向に沿うＸ方向と、軸方向に沿うＹ方向とに列をなすように並べたが、例えば伸張力調整部材３を、生地本体２の一部に、周方向に沿うＸ方向と、軸方向に沿うＹ方向とに列をなすように並べるとともに、生地本体２の他の一部に、周方向（軸方向）と４５°をなす方向と、その方向と４５°をなす方向とに列をなすように伸張力調整部材３を並べるようにしても良い。
【００３９】
又、上記実施形態では、伸張力調整部材３を、円形状の調整部材片３１から構成したがこの形態のものに限らず、適宜変更できる。例えば図５（ａ）に示すように、調整部材片３１ａを×形状に形成し、互いに直交するＸ方向及びＹ方向に列をなすように並べてＸ方向とＹ方向とＷ方向との夫々の伸張力が略同じになるようにする。
【００４０】
或いは、例えば図５（ｂ）に示すように、調整部材片３１ｂを正六角形状に形成し、互いに直交するＸ方向及びＹ方向に列をなすように並べてＸ方向とＹ方向とＷ方向との夫々の伸張力が略同じになるようにする。
【００４１】
又、例えば図５（ｃ）に示すように、調整部材片３１ｃを十字形状に形成し、互いに直交するＸ方向及びＹ方向に列をなすように並べてＸ方向とＹ方向とＷ方向との夫々の伸張力が略同じになるようにする。
【００４２】
さらには、例えば図５（ｄ）に示すように、調整部材片３１ｄを三角形状に形成し、互いに直交するＸ方向及びＹ方向に列をなすように並べてＸ方向とＹ方向とＷ方向との夫々の伸張力が略同じになるようにする。
【００４３】
又、例えば図５（ｅ）に示すように、調整部材片３１ｅを菱形状に形成し、互いに直交するＸ方向及びＹ方向に列をなすように並べてＸ方向とＹ方向とＷ方向との夫々の伸張力が略同じになるようにする。
【００４４】
又、上記実施形態では、弾性糸だけを用いて衣料用生地を形成したが、例えば弾性糸と非弾性糸とを用いて衣料用生地を形成してもよく、適宜変更できる。
【００４５】
又、上記実施形態では、衣料用生地を編成した編地から構成したが、この形態のものに限らず、例えば弾性糸と非弾性糸とを用いて織った織地から構成してもよく、適宜変更できる。
【００４６】
又、本発明の衣料用生地を有する圧迫衣料は、サポーターから構成されるものに限らず、例えばインナー、ソックス、スポーツウエア等にして、適宜変更して実施できる。
【符号の説明】
【００４７】
１    サポーター（圧迫衣料）
２    生地本体
３    伸張力調整部材
１０    衣料用生地
３１、３１ａ〜３１ｅ    調整部材片
【図１】
2012097361.tif 000003
【図２】
2012097361.tif 000004
【図３】
2012097361.tif 000005
【図４】
2012097361.tif 000006
【図５】
2012097361.tif 000007